【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
ビデオコーディングのための方法であって、前記方法は、
１つまたは複数のｓｅｉ＿ｍｅｓｓａｇｅ（）シンタックス構造を含んでいる少なくとも１つのビットストリームパーティションネスティング補足エンハンスメント情報（ＳＥＩ）メッセージ構造を備えるローバイトシーケンスペイロード（ＲＢＳＰ）を備える、ＳＥＩネットワークアブストラクションレイヤ（ＮＡＬ）ユニットを処理することと、
前記少なくとも１つのビットストリームパーティションネスティングＳＥＩメッセージ構造内に、または前記少なくとも１つのビットストリームパーティションネスティングＳＥＩメッセージ構造から、ｎｕｍ＿ｓｅｉｓ＿ｉｎ＿ｂｓｐ＿ｍｉｎｕｓ１シンタックス要素をコーディングすることと、前記ｎｕｍ＿ｓｅｉｓ＿ｉｎ＿ｂｓｐ＿ｍｉｎｕｓ１シンタックス要素＋１は、前記少なくとも１つのビットストリームパーティションネスティングＳＥＩメッセージ構造内に含まれている前記１つまたは複数のｓｅｉ＿ｍｅｓｓａｇｅ（）シンタックス構造の数を指定し、前記ｎｕｍ＿ｓｅｉｓ＿ｉｎ＿ｂｓｐ＿ｍｉｎｕｓ１シンタックス要素は、前記１つまたは複数のｓｅｉ＿ｍｅｓｓａｇｅ（）シンタックス構造とは異なる、を備える、方法。
【請求項２】
前記少なくとも１つのビットストリームパーティションネスティングＳＥＩメッセージ構造内に含まれている前記１つまたは複数のｓｅｉ＿ｍｅｓｓａｇｅ（）シンタックス構造の前記数は、前記少なくとも１つのビットストリームパーティションネスティングＳＥＩメッセージ構造内に含まれている前記１つまたは複数のｓｅｉ＿ｍｅｓｓａｇｅ（）シンタックス構造のカウントを備える、請求項１に記載の方法。
【請求項３】
前記シンタックス要素をコーディングすることが、前記シンタックス要素を復号することを備え、ここにおいて、前記方法が、前記復号されたシンタックス要素に基づいて、前記少なくとも１つのビットストリームパーティションネスティングＳＥＩメッセージ構造内に備えられる前記１つまたは複数のｓｅｉ＿ｍｅｓｓａｇｅ（）シンタックス構造の前記数を決定することをさらに備える、請求項１に記載の方法。
【請求項４】
前記少なくとも１つのビットストリームパーティションネスティングＳＥＩメッセージ構造内に備えられる前記１つまたは複数のｓｅｉ＿ｍｅｓｓａｇｅ（）シンタックス構造の前記決定された数に基づいて、前記少なくとも１つのビットストリームパーティションネスティングＳＥＩメッセージ構造を構文解析することをさらに備える、請求項３に記載の方法。
【請求項５】
前記シンタックス要素が、前記少なくとも１つのビットストリームパーティションネスティングＳＥＩメッセージ構造から復号される、請求項３に記載の方法。
【請求項６】
前記シンタックス要素をコーディングすることが、前記シンタックス要素を符号化することを備え、ここにおいて、前記方法が、前記シンタックス要素を符号化することより前に、前記少なくとも１つのビットストリームパーティションネスティングＳＥＩメッセージ構造内に備えられる前記１つまたは複数のｓｅｉ＿ｍｅｓｓａｇｅ（）シンタックス構造の前記数を決定することをさらに備える、請求項１に記載の方法。
【請求項７】
前記シンタックス要素が、前記少なくとも１つのビットストリームパーティションネスティングＳＥＩメッセージ構造中に符号化される、請求項６に記載の方法。
【請求項８】
ビデオコーディングのためのデバイスであって、前記デバイスは、
ビデオデータを記憶するように構成されたメモリと、
前記メモリと通信しているプロセッサとを備え、前記プロセッサは、
前記ビデオデータに関連する補足エンハンスメント情報（ＳＥＩ）ネットワークアブストラクションレイヤ（ＮＡＬ）ユニットを処理することと、ここにおいて、前記ＳＥＩ
ＮＡＬユニットが、１つまたは複数のｓｅｉ＿ｍｅｓｓａｇｅ（）構造を含んでいる少なくとも１つのビットストリームパーティションネスティングＳＥＩメッセージ構造を備えるローバイトシーケンスペイロード（ＲＢＳＰ）を備える、
前記少なくとも１つのビットストリームパーティションネスティングＳＥＩメッセージ構造内に、または前記少なくとも１つのビットストリームパーティションネスティングＳＥＩメッセージ構造から、ｎｕｍ＿ｓｅｉｓ＿ｉｎ＿ｂｓｐ＿ｍｉｎｕｓ１シンタックス要素をコーディングすることと、前記ｎｕｍ＿ｓｅｉｓ＿ｉｎ＿ｂｓｐ＿ｍｉｎｕｓ１シンタックス要素＋１は、前記少なくとも１つのビットストリームパーティションネスティングＳＥＩメッセージ構造内に含まれている前記１つまたは複数のｓｅｉ＿ｍｅｓｓａｇｅ（）シンタックス構造の数を指定し、前記ｎｕｍ＿ｓｅｉｓ＿ｉｎ＿ｂｓｐ＿ｍｉｎｕｓ１シンタックス要素は、前記１つまたは複数のｓｅｉ＿ｍｅｓｓａｇｅ（）シンタックス構造とは異なる、を行うように構成された、デバイス。
【請求項９】
前記少なくとも１つのビットストリームパーティションネスティングＳＥＩメッセージ構造内に含まれている前記１つまたは複数のｓｅｉ＿ｍｅｓｓａｇｅ（）シンタックス構造の前記数は、前記少なくとも１つのビットストリームパーティションネスティングＳＥＩメッセージ構造内に含まれている前記１つまたは複数のｓｅｉ＿ｍｅｓｓａｇｅ（）シンタックス構造のカウントを備える、請求項８に記載のデバイス。
【請求項１０】
前記プロセッサが、前記シンタックス要素を復号することと、前記復号されたシンタックス要素に基づいて、前記少なくとも１つのビットストリームパーティションネスティングＳＥＩメッセージ構造内に備えられる前記１つまたは複数のｓｅｉ＿ｍｅｓｓａｇｅ（）シンタックス構造の前記数を決定することとを行うようにさらに構成された、請求項８に記載のデバイス。
【請求項１１】
前記プロセッサが、前記少なくとも１つのビットストリームパーティションネスティングＳＥＩメッセージ構造内に備えられる前記１つまたは複数のｓｅｉ＿ｍｅｓｓａｇｅ（）シンタックス構造の前記決定された数に基づいて、前記少なくとも１つのビットストリームパーティションネスティングＳＥＩメッセージ構造を構文解析するようにさらに構成された、請求項１０に記載のデバイス。
【請求項１２】
前記プロセッサが、前記少なくとも１つのビットストリームパーティションネスティングＳＥＩメッセージ構造から前記シンタックス要素を復号するようにさらに構成された、請求項１０に記載のデバイス。
【請求項１３】
前記プロセッサが、前記シンタックス要素を符号化することと、前記シンタックス要素を符号化することより前に、前記少なくとも１つのビットストリームパーティションネスティングＳＥＩメッセージ構造内に備えられる前記１つまたは複数のｓｅｉ＿ｍｅｓｓａｇｅ（）シンタックス構造の前記数を決定することとを行うようにさらに構成された、請求項８に記載のデバイス。
【請求項１４】
前記プロセッサが、前記少なくとも１つのビットストリームパーティションネスティングＳＥＩメッセージ構造中に前記シンタックス要素を符号化するようにさらに構成された、請求項１３に記載のデバイス。
【請求項１５】
前記ビデオデータを表示するように構成されたディスプレイをさらに備える、請求項８に記載のデバイス。
【請求項１６】
前記デバイスが、
集積回路、
マイクロプロセッサ、または
ワイヤレス通信デバイスのうちの少なくとも１つを備える、請求項８に記載のデバイス。
【請求項１７】
ビデオコーディングのためのデバイスであって、前記デバイスは、
ビデオデータに関連する補足エンハンスメント情報（ＳＥＩ）ネットワークアブストラクションレイヤ（ＮＡＬ）ユニットを処理するための手段と、ここにおいて、前記ＳＥＩ
ＮＡＬユニットが、１つまたは複数のｓｅｉ＿ｍｅｓｓａｇｅ（）構造を含んでいる少なくとも１つのビットストリームパーティションネスティングＳＥＩメッセージ構造を備えるローバイトシーケンスペイロード（ＲＢＳＰ）を備える、
前記少なくとも１つのビットストリームパーティションネスティングＳＥＩメッセージ構造内に、または前記少なくとも１つのビットストリームパーティションネスティングＳＥＩメッセージ構造から、ｎｕｍ＿ｓｅｉｓ＿ｉｎ＿ｂｓｐ＿ｍｉｎｕｓ１シンタックス要素をコーディングするための手段と、前記ｎｕｍ＿ｓｅｉｓ＿ｉｎ＿ｂｓｐ＿ｍｉｎｕｓ１シンタックス要素＋１は、前記少なくとも１つのビットストリームパーティションネスティングＳＥＩメッセージ構造内に含まれている前記１つまたは複数のｓｅｉ＿ｍｅｓｓａｇｅ（）シンタックス構造の数を指定し、前記ｎｕｍ＿ｓｅｉｓ＿ｉｎ＿ｂｓｐ＿ｍｉｎｕｓ１シンタックス要素は、前記１つまたは複数のｓｅｉ＿ｍｅｓｓａｇｅ（）シンタックス構造とは異なる、を備える、デバイス。
【請求項１８】
前記少なくとも１つのビットストリームパーティションネスティングＳＥＩメッセージ構造内に含まれている前記１つまたは複数のｓｅｉ＿ｍｅｓｓａｇｅ（）シンタックス構造の数は、前記少なくとも１つのビットストリームパーティションネスティングＳＥＩメッセージ構造内に含まれている前記１つまたは複数のｓｅｉ＿ｍｅｓｓａｇｅ（）シンタックス構造のカウントを備える、請求項１７に記載のデバイス。
【請求項１９】
前記シンタックス要素をコーディングするための前記手段が、前記シンタックス要素を復号するための手段を備え、ここにおいて、前記デバイスが、前記復号されたシンタックス要素に基づいて、前記少なくとも１つのビットストリームパーティションネスティングＳＥＩメッセージ構造内に備えられる前記１つまたは複数のｓｅｉ＿ｍｅｓｓａｇｅ（）シンタックス構造の前記数を決定するための手段をさらに備える、請求項１７に記載のデバイス。
【請求項２０】
前記少なくとも１つのビットストリームパーティションネスティングＳＥＩメッセージ構造内に備えられる前記１つまたは複数のｓｅｉ＿ｍｅｓｓａｇｅ（）シンタックス構造の前記決定された数に基づいて、前記少なくとも１つのビットストリームパーティションネスティングＳＥＩメッセージ構造を構文解析するための手段をさらに備える、請求項１９に記載のデバイス。
【請求項２１】
前記シンタックス要素を復号するための手段が、前記少なくとも１つのビットストリームパーティションネスティングＳＥＩメッセージ構造から前記シンタックス要素を復号する、請求項１９に記載のデバイス。
【請求項２２】
前記シンタックス要素をコーディングするための前記手段が、前記シンタックス要素を符号化するための手段を備え、ここにおいて、前記デバイスが、前記シンタックス要素を符号化することより前に、前記少なくとも１つのビットストリームパーティションネスティングＳＥＩメッセージ構造内に備えられる前記１つまたは複数のｓｅｉ＿ｍｅｓｓａｇｅ（）シンタックス構造の前記数を決定するための手段をさらに備える、請求項１７に記載のデバイス。
【請求項２３】
前記シンタックス要素を符号化するための前記手段が、前記少なくとも１つのビットストリームパーティションネスティングＳＥＩメッセージ構造中に前記シンタックス要素を符号化する、請求項２２に記載のデバイス。
【請求項２４】
実行されたとき、１つまたは複数のプロセッサに、
１つまたは複数のｓｅｉ＿ｍｅｓｓａｇｅ（）構造を含んでいる少なくとも１つのビットストリームパーティションネスティング補足エンハンスメント情報（ＳＥＩ）メッセージ構造を備えるローバイトシーケンスペイロード（ＲＢＳＰ）を備える、ＳＥＩネットワークアブストラクションレイヤ（ＮＡＬ）ユニットを処理することと、
前記少なくとも１つのビットストリームパーティションネスティングＳＥＩメッセージ構造内に、または前記少なくとも１つのビットストリームパーティションネスティングＳＥＩメッセージ構造から、ｎｕｍ＿ｓｅｉｓ＿ｉｎ＿ｂｓｐ＿ｍｉｎｕｓ１シンタックス要素をコーディングすることと、前記ｎｕｍ＿ｓｅｉｓ＿ｉｎ＿ｂｓｐ＿ｍｉｎｕｓ１シンタックス要素＋１は、前記少なくとも１つのビットストリームパーティションネスティングＳＥＩメッセージ構造内に含まれている前記１つまたは複数のｓｅｉ＿ｍｅｓｓａｇｅ（）シンタックス構造の数を指定し、前記ｎｕｍ＿ｓｅｉｓ＿ｉｎ＿ｂｓｐ＿ｍｉｎｕｓ１シンタックス要素は、前記１つまたは複数のｓｅｉ＿ｍｅｓｓａｇｅ（）シンタックス構造とは異なる、を行わせる命令を記憶した非一時的コンピュータ可読媒体。
【請求項２５】
前記少なくとも１つのビットストリームパーティションネスティングＳＥＩメッセージ構造内に含まれている前記１つまたは複数のｓｅｉ＿ｍｅｓｓａｇｅ（）シンタックス構造の前記数は、前記少なくとも１つのビットストリームパーティションネスティングＳＥＩメッセージ構造内に含まれている前記１つまたは複数のｓｅｉ＿ｍｅｓｓａｇｅ（）シンタックス構造のカウントを備える、請求項２４に記載の非一時的コンピュータ可読媒体。
【請求項２６】
前記１つまたは複数のプロセッサに、前記シンタックス要素をコーディングすることを行わせる前記命令が、前記１つまたは複数のプロセッサに、前記シンタックス要素を復号することを行わせる命令を備え、ここにおいて、前記非一時的コンピュータ可読媒体が、前記１つまたは複数のプロセッサに、前記復号されたシンタックス要素に基づいて、前記少なくとも１つのビットストリームパーティションネスティングＳＥＩメッセージ構造内に備えられる前記１つまたは複数のｓｅｉ＿ｍｅｓｓａｇｅ（）シンタックス構造の前記数を決定することを行わせる命令をさらに備える、請求項２４に記載の非一時的コンピュータ可読媒体。
【請求項２７】
前記１つまたは複数のプロセッサに、前記少なくとも１つのビットストリームパーティションネスティングＳＥＩメッセージ構造内に備えられる前記１つまたは複数のｓｅｉ＿ｍｅｓｓａｇｅ（）シンタックス構造の前記決定された数に基づいて、前記少なくとも１つのビットストリームパーティションネスティングＳＥＩメッセージ構造を構文解析することを行わせる命令をさらに備える、請求項２６に記載の非一時的コンピュータ可読媒体。
【請求項２８】
前記１つまたは複数のプロセッサに、前記シンタックス要素を復号することを行わせる前記命令が、前記少なくとも１つのビットストリームパーティションネスティングＳＥＩメッセージ構造から前記シンタックス要素を復号するための命令を備える、請求項２６に記載の非一時的コンピュータ可読媒体。
【請求項２９】
前記１つまたは複数のプロセッサに、前記シンタックス要素をコーディングすることを行わせる前記命令が、前記１つまたは複数のプロセッサに、前記シンタックス要素を符号化することを行わせる命令を備え、ここにおいて、前記非一時的コンピュータ可読媒体が、前記１つまたは複数のプロセッサに、前記シンタックス要素を符号化することより前に、前記少なくとも１つのビットストリームパーティションネスティングＳＥＩメッセージ構造内に備えられる前記１つまたは複数のｓｅｉ＿ｍｅｓｓａｇｅ（）シンタックス構造の前記数を決定することを行わせる命令をさらに備える、請求項２４に記載の非一時的コンピュータ可読媒体。
【請求項３０】
前記１つまたは複数のプロセッサに、前記シンタックス要素を符号化することを行わせる前記命令が、前記少なくとも１つのビットストリームパーティションネスティングＳＥＩメッセージ構造中に前記シンタックス要素を符号化するための命令を備える、請求項２９に記載の非一時的コンピュータ可読媒体。
【手続補正２】
【補正対象書類名】明細書
【補正対象項目名】０１５５
【補正方法】変更
【補正の内容】
【０１５５】
[00161]  本開示の様々な実施形態について説明した。これらおよび他の実施形態は以下の特許請求の範囲内に入る。
以下に本願の出願当初の特許請求の範囲に記載された発明を付記する。
［Ｃ１］
ビデオコーディングのための方法であって、前記方法は、
１つまたは複数の補足エンハンスメント情報（ＳＥＩ）メッセージ構造を備えるローバイトシーケンスペイロード（ＲＢＳＰ）を備える、ＳＥＩネットワークアブストラクションレイヤ（ＮＡＬ）ユニットを処理することと、ここにおいて、前記１つまたは複数のＳＥＩメッセージ構造が、１つまたは複数のＳＥＩメッセージを有する少なくとも１つのネスティングＳＥＩメッセージ構造を備える、
前記少なくとも１つのネスティングＳＥＩメッセージ構造内に備えられるＳＥＩメッセージの数を示すシンタックス要素をコーディングすることとを備える、方法。
［Ｃ２］
前記少なくとも１つのネスティングＳＥＩメッセージ構造が、スケーラブルネスティングＳＥＩメッセージ構造またはビットストリームパーティションネスティングＳＥＩメッセージ構造のうちの１つを備える、Ｃ１に記載の方法。
［Ｃ３］
前記シンタックス要素をコーディングすることが、前記シンタックス要素を復号することを備え、ここにおいて、前記方法が、前記復号されたシンタックス要素に基づいて、前記少なくとも１つのネスティングＳＥＩメッセージ構造内に備えられるＳＥＩメッセージの前記数を決定することをさらに備える、Ｃ１に記載の方法。
［Ｃ４］
前記少なくとも１つのネスティングＳＥＩメッセージ構造内に備えられるＳＥＩメッセージの前記決定された数に基づいて、前記少なくとも１つのネスティングＳＥＩメッセージ構造を構文解析することをさらに備える、Ｃ３に記載の方法。
［Ｃ５］
前記シンタックス要素が、前記少なくとも１つのネスティングＳＥＩメッセージ構造から復号される、Ｃ３に記載の方法。
［Ｃ６］
前記シンタックス要素をコーディングすることが、前記シンタックス要素を符号化することを備え、ここにおいて、前記方法が、前記シンタックス要素を符号化することより前に、前記少なくとも１つのネスティングＳＥＩメッセージ構造内に備えられるＳＥＩメッセージの前記数を決定することをさらに備える、Ｃ１に記載の方法。
［Ｃ７］
前記シンタックス要素が、前記少なくとも１つのネスティングＳＥＩメッセージ構造中に符号化される、Ｃ６に記載の方法。
［Ｃ８］
ビデオコーディングのためのデバイスであって、前記デバイスは、
ビデオデータを記憶するように構成されたメモリと、
前記メモリと通信しているプロセッサとを備え、前記プロセッサは、
前記ビデオデータに関連する補足エンハンスメント情報（ＳＥＩ）ネットワークアブストラクションレイヤ（ＮＡＬ）ユニットを処理することと、ここにおいて、前記ＳＥＩ
ＮＡＬユニットが、１つまたは複数のＳＥＩメッセージ構造を備えるローバイトシーケンスペイロード（ＲＢＳＰ）を備え、ここにおいて、前記１つまたは複数のＳＥＩメッセージ構造が、１つまたは複数のＳＥＩメッセージを有する少なくとも１つのネスティングＳＥＩメッセージ構造を備える、
前記少なくとも１つのネスティングＳＥＩメッセージ構造内に備えられるＳＥＩメッセージの数を示すシンタックス要素をコーディングすることとを行うように構成された、デバイス。
［Ｃ９］
前記少なくとも１つのネスティングＳＥＩメッセージ構造が、スケーラブルネスティングＳＥＩメッセージ構造またはビットストリームパーティションネスティングＳＥＩメッセージ構造のうちの１つを備える、Ｃ８に記載のデバイス。
［Ｃ１０］
前記プロセッサが、前記シンタックス要素を復号することと、前記復号されたシンタックス要素に基づいて、前記少なくとも１つのネスティングＳＥＩメッセージ構造内に備えられるＳＥＩメッセージの前記数を決定することとを行うようにさらに構成された、Ｃ８に記載のデバイス。
［Ｃ１１］
前記プロセッサが、前記少なくとも１つのネスティングＳＥＩメッセージ構造内に備えられるＳＥＩメッセージの前記決定された数に基づいて、前記少なくとも１つのネスティングＳＥＩメッセージ構造を構文解析するようにさらに構成された、Ｃ１０に記載のデバイス。
［Ｃ１２］
前記プロセッサが、前記少なくとも１つのネスティングＳＥＩメッセージ構造から前記シンタックス要素を復号するようにさらに構成された、Ｃ１０に記載のデバイス。
［Ｃ１３］
前記プロセッサが、前記シンタックス要素を符号化することと、前記シンタックス要素を符号化することより前に、前記少なくとも１つのネスティングＳＥＩメッセージ構造内に備えられるＳＥＩメッセージの前記数を決定することとを行うようにさらに構成された、Ｃ８に記載のデバイス。
［Ｃ１４］
前記プロセッサが、前記少なくとも１つのネスティングＳＥＩメッセージ構造中に前記シンタックス要素を符号化するようにさらに構成された、Ｃ１３に記載のデバイス。
［Ｃ１５］
前記ビデオデータを表示するように構成されたディスプレイをさらに備える、Ｃ８に記載のデバイス。
［Ｃ１６］
前記デバイスが、
集積回路、
マイクロプロセッサ、または
ワイヤレス通信デバイスのうちの少なくとも１つを備える、Ｃ８に記載のデバイス。
［Ｃ１７］
ビデオコーディングのためのデバイスであって、前記デバイスは、
ビデオデータに関連する補足エンハンスメント情報（ＳＥＩ）ネットワークアブストラクションレイヤ（ＮＡＬ）ユニットを処理するための手段と、ここにおいて、前記ＳＥＩ
ＮＡＬユニットが、１つまたは複数のＳＥＩメッセージ構造を備えるローバイトシーケンスペイロード（ＲＢＳＰ）を備え、ここにおいて、前記１つまたは複数のＳＥＩメッセージ構造が、１つまたは複数のＳＥＩメッセージを有する少なくとも１つのネスティングＳＥＩメッセージ構造を備える、
前記少なくとも１つのネスティングＳＥＩメッセージ構造内に備えられるＳＥＩメッセージの数を示すシンタックス要素をコーディングするための手段とを備える、デバイス。
［Ｃ１８］
前記少なくとも１つのネスティングＳＥＩメッセージ構造が、スケーラブルネスティングＳＥＩメッセージ構造またはビットストリームパーティションネスティングＳＥＩメッセージ構造のうちの１つを備える、Ｃ１７に記載のデバイス。
［Ｃ１９］
前記シンタックス要素をコーディングするための前記手段が、前記シンタックス要素を復号するための手段を備え、ここにおいて、前記デバイスが、前記復号されたシンタックス要素に基づいて、前記少なくとも１つのネスティングＳＥＩメッセージ構造内に備えられるＳＥＩメッセージの前記数を決定するための手段をさらに備える、Ｃ１７に記載のデバイス。
［Ｃ２０］
前記少なくとも１つのネスティングＳＥＩメッセージ構造内に備えられるＳＥＩメッセージの前記決定された数に基づいて、前記少なくとも１つのネスティングＳＥＩメッセージ構造を構文解析するための手段をさらに備える、Ｃ１９に記載のデバイス。
［Ｃ２１］
前記シンタックス要素を復号するための手段が、前記少なくとも１つのネスティングＳＥＩメッセージ構造から前記シンタックス要素を復号する、Ｃ１９に記載のデバイス。
［Ｃ２２］
前記シンタックス要素をコーディングするための前記手段が、前記シンタックス要素を符号化するための手段を備え、ここにおいて、前記デバイスが、前記シンタックス要素を符号化することより前に、前記少なくとも１つのネスティングＳＥＩメッセージ構造内に備えられるＳＥＩメッセージの前記数を決定するための手段をさらに備える、Ｃ１７に記載のデバイス。
［Ｃ２３］
前記シンタックス要素を符号化するための前記手段が、前記少なくとも１つのネスティングＳＥＩメッセージ構造中に前記シンタックス要素を符号化する、Ｃ２２に記載のデバイス。
［Ｃ２４］
実行されたとき、１つまたは複数のプロセッサに、
１つまたは複数の補足エンハンスメント情報（ＳＥＩ）メッセージ構造を備えるローバイトシーケンスペイロード（ＲＢＳＰ）を備える、ＳＥＩネットワークアブストラクションレイヤ（ＮＡＬ）ユニットを処理することと、ここにおいて、前記１つまたは複数のＳＥＩメッセージ構造が、１つまたは複数のＳＥＩメッセージを有する少なくとも１つのネスティングＳＥＩメッセージ構造を備える、
前記少なくとも１つのネスティングＳＥＩメッセージ構造内に備えられるＳＥＩメッセージの数を示すシンタックス要素をコーディングすることとを行わせる命令を記憶した非一時的コンピュータ可読媒体。
［Ｃ２５］
前記少なくとも１つのネスティングＳＥＩメッセージ構造が、スケーラブルネスティングＳＥＩメッセージ構造またはビットストリームパーティションネスティングＳＥＩメッセージ構造のうちの１つを備える、Ｃ２４に記載の非一時的コンピュータ可読媒体。
［Ｃ２６］
前記１つまたは複数のプロセッサに、前記シンタックス要素をコーディングすることを行わせる前記命令が、前記１つまたは複数のプロセッサに、前記シンタックス要素を復号することを行わせる命令を備え、ここにおいて、前記非一時的コンピュータ可読媒体が、前記１つまたは複数のプロセッサに、前記復号されたシンタックス要素に基づいて、前記少なくとも１つのネスティングＳＥＩメッセージ構造内に備えられるＳＥＩメッセージの前記数を決定することを行わせる命令をさらに備える、Ｃ２４に記載の非一時的コンピュータ可読媒体。
［Ｃ２７］
前記１つまたは複数のプロセッサに、前記少なくとも１つのネスティングＳＥＩメッセージ構造内に備えられるＳＥＩメッセージの前記決定された数に基づいて、前記少なくとも１つのネスティングＳＥＩメッセージ構造を構文解析することを行わせる命令をさらに備える、Ｃ２６に記載の非一時的コンピュータ可読媒体。
［Ｃ２８］
前記１つまたは複数のプロセッサに、前記シンタックス要素を復号することを行わせる前記命令が、前記少なくとも１つのネスティングＳＥＩメッセージ構造から前記シンタックス要素を復号するための命令を備える、Ｃ２６に記載の非一時的コンピュータ可読媒体。
［Ｃ２９］
前記１つまたは複数のプロセッサに、前記シンタックス要素をコーディングすることを行わせる前記命令が、前記１つまたは複数のプロセッサに、前記シンタックス要素を符号化することを行わせる命令を備え、ここにおいて、前記非一時的コンピュータ可読媒体が、前記１つまたは複数のプロセッサに、前記シンタックス要素を符号化することより前に、前記少なくとも１つのネスティングＳＥＩメッセージ構造内に備えられるＳＥＩメッセージの前記数を決定することを行わせる命令をさらに備える、Ｃ２４に記載の非一時的コンピュータ可読媒体。
［Ｃ３０］
前記１つまたは複数のプロセッサに、前記シンタックス要素を符号化することを行わせる前記命令が、前記少なくとも１つのネスティングＳＥＩメッセージ構造中に前記シンタックス要素を符号化するための命令を備える、Ｃ２９に記載の非一時的コンピュータ可読媒体。